(57)【要約】【課題】釣針や釣具について、高釣針機能・針調整の簡易性・組立分解作業の簡便化・コンパクト化・構成の簡潔化・部品数や部品種の削減・コストダウンを満足させる。【解決手段】  チモト部材２１の装着孔２４と取付孔２５ａ〜２５ｃとが互いに交差連通している。チモト部材２１の取付孔２５ａ〜２５ｃと針部材４１ａ〜４１ｃの軸部４２とが嵌め合い自在に対応している。チモト部材２１の装着孔２４と棒状部材３１の一端部とが嵌め合い自在に対応している。針部材４１ａ〜４１ｃが軸部４２を取付孔２５ａ〜２５ｃ内に差し込まれてチモト部材２１に組み付けられている。棒状部材３１が装着孔２４内に嵌め込まれて組み付け保持されている。チモト部材２１内では、交差連通口２６ａ〜２６ｃを通じて針部材４１ａ〜４１ｃの軸部４２と棒状部材とが相対接触し、それにより針部材４１ａ〜４１ｃがチモト部材２１に保持されている。【選択図】図１
2008029277.tif 000002
【特許請求の範囲】
【請求項１】
チモト部材と針部材と棒状部材とを備えていること、および、チモト部材が、当該チモト部材の上下両端面のいずれか一方から他方に向けて縦方向に形成された棒状部材装着用の装着孔と、当該チモト部材の胴部一側面から胴部他側面に向けて登り勾配の傾斜状に形成された針部材取付用の取付孔とを有していて、装着孔と取付孔とがこれらの中間部で互いに交差連通していること、および、針部材が、その後端側の軸部とその先端側の針先部とこれら両部間の湾曲部とを有していること、および、棒状部材が上下方向に長いものからなるなること、および、チモト部材と針部材との相対関係においてチモト部材の取付孔と針部材の軸部とが嵌め合い自在に対応していること、および、チモト部材と棒状部材との相対関係においてチモト部材の装着孔と棒状部材の一端部とが嵌め合い自在に対応していること、および、針先部を下に向けた針部材がその軸部をチモト部材の取付孔内に差し込まれてチモト部材に組み付けられていること、および、棒状部材がチモト部材の装着孔内に嵌め込まれてそこに組み付け保持されていること、および、チモト部材の内部であって装着孔と取付孔とが交差連通している部分において針部材の軸部と棒状部材とが相対接触しており、それによって針部材の軸部がチモト部材の取付孔内に保持されていることを特徴とする釣針。
【請求項２】
チモト部材の装着孔と取付孔とが非貫通孔と貫通孔とのうちから選択されたいずれかからなる請求項１記載の釣針。
【請求項３】
チモト部材の取付孔が後端部の屈曲した貫通孔からなり、当該取付孔内に差し込まれた針部材の軸部端末が取付孔の屈曲した部分に衝突している請求項１記載の釣針。
【請求項４】
チモト部材の装着孔が貫通孔からなり、当該装着孔を貫通してチモト部材に組み付け保持された棒状部材がその上下両端部に釣糸連結部を有している請求項１記載の釣針。
【請求項５】
請求項１〜４のいずれかに記載された釣針と、その釣針のチモト部材に接続された釣糸とを備えていることを特徴とする釣具。
【発明の詳細な説明】
【技術分野】
【０００１】
本発明は魚介類とくにタコ（蛸）などを釣り上げるのに適した釣針と釣具に関し、より詳しくは、この種の釣針や釣具をさらに改良したものに関する。
【背景技術】
【０００２】
タコ釣り漁法の一つに「仕掛け」と称する釣具を用いるものがあり、それが下記の特許文献１〜２に開示されている。仕掛けを用いるタコ釣り漁法において、アタリ（魚信）にあわせてタコを釣針に掛けたとき、タコが岩穴へ逃げ込んだりするため釣具の針先部が岩場に引っ掛かることがある。下記の特許文献３に開示された釣針と釣具は、これに対処すべく提案されたものである。
【０００３】
特許文献３の釣針や釣具の主たる特徴は当該文献を参照してつぎのようなものである。その一つは、針部材の湾曲部が最外側にあって針先部の最先端がそれよりも内方に位置していることである。このような釣針であれば、針先部の最先端が岩場や海底などに接するとしてもそれらへの食い込みや引っ掛かりが起こりがたい。とくに複数の針部材がチモト部材の外周部から放射状に突出しているものは、この事態をより回避することができる。したがって岩場など獲物以外のものに釣針が引っ掛かるというトラブルの発生を回避しながら難なく釣りをすることができる。他の一つは、チモト部材の下部にある餌取付部と針先部の最先端とが直近していることである。そのゆえ、餌取付部の餌に接近したりそれを捕食したりする獲物が針先部最先端に触れる確立は高い。このような場合は、また、アタリ（魚信）に合わせて手許を引くことで獲物が釣針に簡単に掛かる。したがって獲物に対する掛かりがよくなり、釣果も得やすい。
【０００４】
【特許文献１】特開平０８−２６６１９７号公報
【特許文献２】特開２００１−１４５４３６号公報
【特許文献３】特開２００６−１４１２０３号公報
【発明の開示】
【発明が解決しようとする課題】
【０００５】
特許文献３に開示された釣針と釣具は上記の点で優れているといえる。とはいえこの文献は、釣針の組み立てや分解を容易にするための技術開示をしていないし、組立分解可能な釣針について製造難度を緩和するための技術的示唆もしていない。ちなみに特許文献３の釣針は半径１０ｃｍ前後と大きく、針先部が尖鋭にとがっている。このような釣針の場合は、釣りをするときを除き、コンパクトに分解収納しておくのが望ましい。
【０００６】
本発明は上述したような釣針や釣具について、高度の釣針機能・針調整の簡易性・組立分解作業の簡便化・分解状態のコンパクト化・構成の簡潔化・部品数や部品種の削減・コストダウンなど、これらを満足させることのできるもの提供しようとするものである。
【課題を解決するための手段】
【０００７】
本発明に係る釣針と釣具は下記(01)〜(05)の課題解決手段を特徴とし、これらの手段によって所期の目的を達成するものである。
(01)本発明に係る釣針は、チモト部材と針部材と棒状部材とを備えていること、および、チモト部材が、当該チモト部材の上下両端面のいずれか一方から他方に向けて縦方向に形成された棒状部材装着用の装着孔と、当該チモト部材の胴部一側面から胴部他側面に向けて登り勾配の傾斜状に形成された針部材取付用の取付孔とを有していて、装着孔と取付孔とがこれらの中間部で互いに交差連通していること、および、針部材が、その後端側の軸部とその先端側の針先部とこれら両部間の湾曲部とを有していること、および、棒状部材が上下方向に長いものからなるなること、および、チモト部材と針部材との相対関係においてチモト部材の取付孔と針部材の軸部とが嵌め合い自在に対応していること、および、チモト部材と棒状部材との相対関係においてチモト部材の装着孔と棒状部材の一端部とが嵌め合い自在に対応していること、および、針先部を下に向けた針部材がその軸部をチモト部材の取付孔内に差し込まれてチモト部材に組み付けられていること、および、棒状部材がチモト部材の装着孔内に嵌め込まれてそこに組み付け保持されていること、および、チモト部材の内部であって装着孔と取付孔とが交差連通している部分において針部材の軸部と棒状部材とが相対接触しており、それによって針部材の軸部がチモト部材の取付孔内に保持されていることを特徴とする。
(02)本発明に係る釣針は、上記(01)において、チモト部材の装着孔と取付孔とが非貫通孔と貫通孔とのうちから選択されたいずれかからなることを特徴とする。
(03)本発明に係る釣針は、上記(01)において、チモト部材の取付孔が後端部の屈曲した貫通孔からなり、当該取付孔内に差し込まれた針部材の軸部端末が取付孔の屈曲した部分に衝突していることを特徴とする。
(04)本発明に係る釣針は、上記(01)において、チモト部材の装着孔が貫通孔からなり、当該装着孔を貫通してチモト部材に組み付け保持された棒状部材がその上下両端部に釣糸連結部を有していることを特徴とする。
(05)本発明に係る釣具は、上記(01)〜(04)のいずれかに記載された釣針と、その釣針のチモト部材に接続された釣糸とを備えていることを特徴とする。
【発明の効果】
【０００８】
本発明の釣針は下記(11)〜(20)のような効果を有し、本発明の釣具は下記(21)〜(22)のような効果をする。
(11)針部材は針先部を下に向けてチモト部材の傾斜した取付孔に取り付けられている。このような針部材をもつ釣針の場合は、針部材の湾曲部が最外側にあって針先部の最先端がそれよりも内方に位置しているから、針先部の最先端が岩場や海底などに接して食い込んだり引っ掛かったりすることが起こりがたい。とくに複数の針部材がチモト部材の外周部から放射状に突出しているものはこのような事態がより起こりがたい。したがって岩場など獲物以外のものに釣針が引っ掛かるというトラブルの発生を回避しながら難なく釣りを行うなど、高度の釣針機能を発揮することができる。
(12)針部材はこれの固定を一時的に弛めることでチモト部材に対する取付角度を調整することができるし、チモト部材から離脱させた場合には針部材の曲げ形状も自由に変更することもできる。したがって釣りの条件に適合させるための針調整が簡易に行える。
(13)取付孔内に差し込まれた針先部の軸部は、チモト部材の装着孔内に嵌め込まれてこれに組み付け保持された棒状部材と相対接触し、それによって針部材の軸部がチモト部材の取付孔内に保持されているものである。したがってこの釣針の場合、棒状部材をチモト部材から外せば針部材もチモト部材から外れることになる。これはチモト部材に対する棒状部材の取り付け操作や取り外し操作によって、チモト部材と針部材と棒状部材との三部品を組み立てたり分解したりできるのであるから、かかる作業が簡便化する。
(14)異形状態を呈して嵩張る釣針ではあるが、これを分解することで全体をコンパクトにまとめることができる。このようなコンパクト化が釣針の収納・保管・持ち運びを簡便にする。
(15)釣針については、針部材がチモト部材から斜状に突出するだけの釣針形態である。したがって釣針は簡潔な構成といえる。
(16)釣針は主要な部材がチモト部材・針部材・棒状部材の三部品であるから部品数や部品種が少ない。また、装着孔と取付孔との巧みな穿孔構造に基づき、針部材を棒状部材で固定するから針部材用の固定手段も不要になる。これも釣針の部品削減に通じる。
(17)釣針は構成が簡潔で部品数や部品種が少ないものであり、それぞれの部品も格別の難度なく製作することができるから、総じて釣針のコストダウンをはかることができる。
(18)チモト部材に形成された取付孔が貫通したものであるときは、砂その他の塵埃が取付孔内に侵入したとしても、それを孔の一端から他端へと追い込んで取付孔外へ排除することができる。したがって針部材をチモト部材に組み付けるとき、取付孔の孔詰まりに起因した組み付け障害を惹き起こすことがない。
(19)チモト部材に形成された取付孔が後端部の屈曲した貫通孔からなるときは、当該取付孔内に差し込まれた針部材の軸部端末をその取付孔の屈曲した部分に衝突させることでチモト部材に対する針部材の挿入深度が一定化する。こうしたものは、分解状態にある針部材をチモト部材に組み付けるときに部品の組み立て状態が常に一定化してバラツキが生じない。
(20)釣針について、チモト部材の装着孔が貫通孔からなり、当該装着孔を貫通してチモト部材に組み付け保持された棒状部材がその上下両端部に釣糸連結部を有するものは、その釣糸連結部に釣糸を接続するだけで所要の釣具が簡単に得られる。
(21)釣具は、既述の釣針とその釣針のチモト部材に接続された釣糸とを備えたものであるから、上記の各利点を有している。
(22)釣具は、釣糸に繋がれた釣針を釣針を海へ投げ込み、それを海底や海中の岩場に到達させたり、または、適当に浮遊させたり泳動させたりして獲物をおびきよせ、それを釣り上げればよいから、初心者なども簡単に実施して高い釣果を得ることができる。
【発明を実施するための最良の形態】
【０００９】
本発明に係る釣針と釣具について、その実施形態を添付の図面に基づき説明する。
【００１０】
図１と図２（Ａ）〜（Ｃ）と図３（Ａ）〜（Ｃ）に例示された実施形態のものは、釣針１１がチモト部材２１と棒状部材３１と複数の針部材４１ａ〜４１ｃとを主体にして構成されているとともに、釣具５１が釣針１１・上部釣糸６１・錘体６２などを主体にして構成されている。
【００１１】
図１〜図３の実施形態で釣針１１のチモト部材２１は金属製・合成樹脂製・複合材製のいずれかである。この場合の金属はステンレススチールのような不銹性金属であることが多く、この場合の合成樹脂はＦＲＰその他の強化された合成樹脂であることが多く、この場合の複合材は金属と合成樹脂とによるものものが多い。代表例でいえばチモト部材２１は金属製で、掌に乗せることができる程度の小型である。その場合のチモト部材２１の形状は丸棒形・角棒形・円錐台形・角錐台形のいずれかであったり、または、そのうちの二つ以上の形状が複合したブロック形をしていたりする。図示例のチモト部材２１は多角形（六角形）の胴部２２を有していてその上下両面が円錐形に面取りされているほか、円形で小径の突出部２３が胴部２２の上面に一体形成されている。チモト部材２１はその軸心部を上下に貫通する装着孔２４を有している。装着孔２４は孔径の一定したもので構わないが、図示例では相対的に内径の大きい下部孔２４ａと相対的に径の小さい上部孔２４ｂとが上下に連なったものとなっており、これら両孔２４ａ・２４ｂの境界に段差部２４ｃが生じている。チモト部材２１には、また、後述の各針部材４１ａ〜４１ｃをチモト部材２１に取り付けるためのものとして、複数（図示例：三つ）の取付孔２５ａ〜２５ｃが形成されている。これらの取付孔２５ａ〜２５ｃは、チモト部材２１における胴部２２の下部側から上部側に向けて傾斜状に形成されているものであり、しかも図３（Ｃ）で明らかなように、該各取付孔２５ａ〜２５ｃの一部と装着孔２４の一部とが互いに干渉するように重なり合っている。具体的には、各取付孔２５ａ〜２５ｃの中間部と下部孔２４ａの中間部とが交差して重なり合い、その重なり合う部分が交差連通口２６ａ〜２６ｃとなっている。さらにいうと、傾斜状をなす各取付孔２５ａ〜２５ｃは図示例においてチモト部材２１の胴部２２を下面側から周面側へと貫通しているものである。この場合において、各取付孔２５ａ〜２５ｃの先端部は下位側にあり、各取付孔２５ａ〜２５ｃの後端部は上位側にある。それで針部材４１ａ〜４１ｃは、各取付孔２５ａ〜２５ｃの先端部側からその内外に着脱されるものである。この各取付孔２５ａ〜２５ｃへの針部材４１ａ〜４１ｃの挿入深度を一定にするため、該各取付孔２５ａ〜２５ｃの後端部側が屈曲した屈曲部２７になっている。かかる屈曲部２７については、各取付孔２５ａ〜２５ｃ内に差し込まれた針部材４１ａ〜４１ｃの軸部端末が衝突し、その差し込まれた各針部材４１ａ〜４１ｃを停止させることになるので、ストッパ部ということもできる。
【００１２】
図１〜図３の実施形態で釣針１１の棒状部材３１は、チモト部材２１と同様の材質からなるものである。代表例としての棒状部材３１は靱性や不銹性を有する金属製のものである。棒状部材３１はその下端側から上端側に向けて下吊部３２・円錐状のテーパ部３４・外径の一定した細径部３５・雄ネジ部３６などが一連に形成されたものである。さらに下吊部３２は、その円周面の一部が平坦化されてそこに吊孔３３が形成されている。棒状部材３１はチモト部材２１の下面側から装着孔２４内に挿入するものであるが、そうした場合にテーパ部３４が装着孔２４の段差部２４ｃと衝突するようになり、雄ネジ部３６が装着孔２４の上部孔２４ｂ端から突出するようになる。このような棒状部材３１には、上吊具３７や周知のワッシャ４０が付帯する。そのうちの上吊具３７は、リング部３８と上記雄ネジ部３６に対応した雌ネジ部（ネジ孔）３９とを備えてなるものである。
【００１３】
図１〜図３の実施形態で釣針１１の各針部材４１ａ〜４１ｃも、チモト部材２１と同様の材質からなるものである。代表例としての各針部材４１ａ〜４１ｃは靱性や不銹性を有する金属製のものである。各針部材４１ａ〜４１ｃは軸部４２と湾曲部４３と針先部４４とを備えたもので、湾曲部４３が軸部４２に連なり、針先部４４が湾曲部４３に連なっている。湾曲部４３は、また、軸部４２側の腰曲げ箇所４３ａと針先部４４側の先曲げ箇所４３ｂとからなり、針先部４４には尖鋭な最先端４５がある。
【００１４】
図１〜図３の実施形態では、合計三本の針部材４１ａ〜４１ｃがチモト部材２１に取り付けられて釣針１１の要部が構成される。各針部材４１ａ〜４１ｃをチモト部材２１に取り付けるときは、一例としてつぎのようになる。はじめは、各針部材４１ａ〜４１ｃの軸部４２の端末が屈曲部２７に衝突するまで、各針部材４１ａ〜４１ｃの軸部４２を各取付孔２５ａ〜２５ｃ内に差し込んでこれらを図１のような姿勢に保持する。つぎに、棒状部材３１をチモト部材２１の下面側から装着孔２４内に挿入してその雄ネジ部３６を上部孔２４ｂより装着孔２４外へ突出させる。このとき装着孔２４の下部孔２４ａ内では、交差連通口２６ａ〜２６ｃを通じて各針部材４１ａ〜４１ｃの中間部と棒状部材３１のテーパ部３４とが相対接触するため、棒状部材３１がかなりの挿入抵抗を受ける。すなわち棒状部材３１は、テーパ部３４が段差部２４ｃに衝突するよりも前の段階でこの挿入時の抵抗を受け、手押しによるこれ以上の挿入が困難になる。したがってこうした後は、チモト部材２１の突出部２３側において装着孔２４の上部孔２４ｂより突出した棒状部材３１の雄ネジ部３６にワッシャ４０を嵌め、かつ、上吊具３７の雌ネジ部３９によってこれを雄ネジ部３６にねじ込んだりする。ちなみに工具などで上吊具３７を雄ネジ部３６にねじ込んだときは、棒状部材３１がその締付方向に引き込まれて装着孔２４内への挿入深度を増すため、各針部材４１ａ〜４１ｃの中間部と棒状部材３１のテーパ部３４とが強接触して相対的な固定状体になる。その結果、各針部材４１ａ〜４１ｃは各取付孔２５ａ〜２５ｃ内から離脱することなくチモト部材２１に保持され、棒状部材３１も装着孔２４内から離脱することなくチモト部材２１に保持される。
【００１５】
かくて組み立てられた釣針１１はつぎのとおりである。チモト部材２１に取り付けられた各針部材４１ａ〜４１ｃは、周方向に均等間隔をおいてチモト部材２１の各外周面から放射状に突出する。しかも各針部材４１ａ〜４１ｃの軸部４２が図１のように下り勾配で傾斜する。この場合、それぞれの軸部４２とチモト部材２１の垂直軸心線とがなす角度は４０〜８０゜望ましくは５０〜７０゜である。その具体的一例として当該角度が６０゜に設定される。各針部材４１ａ〜４１ｃは、また、それぞれの湾曲部４３がそれぞれの軸部４２を支点に回転方向へ捻られることがある。図１の垂直軸線を基準にした当該捻り角度は１０〜４５゜望ましくは１５〜４０゜である。その具体的一例として当該角度が３０゜に設定される。この場合の捻りは二通りある。一つは針部材４１ａ〜４１ｃをチモト部材２１に取り付けるときに軸部４２を回転軸にして針部材４１ａ〜４１ｃを時計回り方向または反時計回り方向へ回し、これで湾曲部４３に所定の角度を付した後、針部材４１ａ〜４１ｃをチモト部材２１に固定するというものである。他の一つは針部材４１ａ〜４１ｃをチモト部材２１に取り付けた後、軸部４２ないし湾曲部４３の一部に捻り荷重（変形荷重）を加えて湾曲部４３に所定の角度を付すというものである。これで各針部材４１ａ〜４１ｃの針先部４４が内側を向き、各針先部４４の最先端４５がチモト部材２１の外周面と湾曲部３４先端との間に介在するものとなる。すなわち各針先部４４の最先端４５は、図１の正面図において針部材４１ａ〜４１ｃの最高部と最下部との間にあるとともに、平面図において針部材４１ａ〜４１ｃの径方向先端部と径方向基端部との間にある。さらにいうと、各針先部４４の最先端４５は、隣接する針部材４１ａ〜４１ｃ相互のほぼ中間部にある。このような実施形態の釣針１１は、一例として高さが１０ｃｍ、半径が１０ｃｍである。
【００１６】
図１を参照して、釣針１１を主体にした釣具５１の一例はつぎのようなものである。チモト部材２１の下吊部３２には取付部材７１を介して餌７２が取り付けられる。この場合の餌７２は擬似餌であっても合成餌であっても天然餌（生死は問わない）であってもよいものである。取付部材７１は鎖・紐・フック・リング・これらの複合材など、餌の種類に応じて変更される。チモト部材２１の上吊具３７には、そのリング部３８に上部釣糸６１が接続される。この上部釣糸６１には周知の手段で所定数（所定重量）の錘体６２が取り付けられる。上部釣糸６１は糸ないし紐（ロープ・ワイヤ）からなり、具体的には透明または不透明の太い糸または細い紐からなる。上部釣糸６１は可撓性を有する丈夫な線状体であれば材質を問わない。上部釣糸６１の代表例は合成樹脂製のロープであるが、これ以外に繊維製紐や金属製ワイヤでも構わない。錘体６２はシズと称され水中で沈降するものである。この錘体６２の代表例は鉛製のものであるが、水中での沈降性があれば他の材質でもよい。
【００１７】
本発明に係る釣具５１を用いてたとえばタコ釣りをするときは、図示しない釣糸の先端に釣具５１の上部釣糸６１をつないだり餌７２を下吊部３２に取り付けたりしたものを海中に投入する。この場合において釣針１１を沈める位置（水深）は、中層・下層・海底など漁場によって異なる。この釣具５１を用いる漁法は、また、岸壁から行う場合と船上から行う場合とで操作が少し異なることもあるが、こうした場合の基本は変わらない。あとはアタリにあわせて釣具５１を引き上げるだけである。これで釣りを行うとき、釣針１１や釣具５１に既述の特徴があるので、針部材４１ａ〜４１ｃを岩場などに引っ掛けるようなトラブルが起こりがたく、獲物を巧みに誘い出して十分な釣果を得ることができる。
【００１８】
本発明に係る釣針１１や釣具５１はそれぞれの部品ごとに分解することができる。したがって当該釣針１１や当該釣具５１については、不使用時や漁場まで携行するときなど、必要に応じてコンパクトに分解することにより、利便性を高めることができる。
【００１９】
本発明に係る釣針１１については下記(31)〜(35)のような実施形態もある。
(31)針部材は単数でも複数でもよい。複数の場合についてさらにいえば、針部材が二本のときや四本以上のときがある。複数のときは、また、チモト部材２１に対して各針部材が均等な放射配列になるのが望ましい。
(32)チモト部材２１に形成された針部材４１ａ〜４１ｃの取付孔２５ａ〜２５ｃは、屈曲部２７のない直線状のものであってもよい。取付孔２５ａ〜２５ｃについては、また、その後端部が閉塞された非貫通孔であってもよい。
(33)棒状部材３１については外径の一定したものでもよい。この場合にはチモト部材２１の装着孔２４もこれに対応した孔形状になる。もちろんこの場合も、棒状部材３１と針部材４１ａ〜４１ｃとは、装着孔２４内で交差連通口２６ａ〜２６ｃを通じて強く相対接触するようになる。
(34)チモト部材２１の下部（下面）にリング型・フック型などの吊部３２が一体形成されることがある。この場合は、装着孔２４の下部孔２４ａが閉鎖状態になるので、棒状部材３１は装着孔２４の上端側からその内部に装着される。さらにいうと、この場合の棒状部材３１は、雄ネジ部３６を省略した図示の棒状部材が上下反転したようなものになり、その反転状体での上端側に雄ネジ部が形成されたりリング部３８が形成されたりする。装着孔２４もこのような棒状部材３１に対応した孔形状になり、したがって上部孔２４ｂの内面には上記に雄ネジ部に対応した雌ネジ部が形成される。
(35)チモト部材２１の上部（上面）にリング型・フック型などの上吊具３７が一体形成されることがある。この場合は、装着孔２４の上部孔２４ｂが閉鎖状態になる。したがって棒状部材３１については雄ネジ部３６が省略され、これに代わる雄ネジ部が下吊部３２の外周面に形成される。さらにこの雄ネジ部に対応する雌ネジ部が下部孔２４ａの下端内周面に形成される。
【００２０】
本発明に係る釣具５１については下記(41)〜(42)のような実施形態もある。
(41)錘体６２に代えて、または、錘体６２との併用方式で、上部釣糸６１に浮体が備え付けられて釣具５１に適当な浮力が付与される。かかる浮体の一例として、ウキアバ（浮網端）と称されている筒状体（合成樹脂製）が採用される。
(42)錘体を備えた下部釣糸がチモト部材２１の吊部３２に接続される。この錘体を備えた下部釣糸は、錘体６２を備えた上部釣糸６１と同様の構成からなるが、上部釣糸６１に比してかなり短いものである。さらにこの場合、錘体に代えて、または、錘体との併用方式で、下部釣糸に浮体が備え付けられることもある。
【産業上の利用可能性】
【００２１】
本発明は獲物に対する釣り上げ機能の優れた釣針や釣具について、高度の釣針機能・針調整の簡易性・組立分解作業の簡便化・分解状態のコンパクト化・構成の簡潔化・部品数や部品種の削減・コストダウンなどを満足させるものである。したがって産業上の利用可能性がたかい。
【図面の簡単な説明】
【００２２】
【図１】本発明に係る釣針と釣具の一実施形態を示した正面図である。
【図２】本発明における一部の部品を分解して示した正面図である。
【図３】本発明におけるチモト部材の切り欠き正面図と縦断面と横断面図である。
【符号の説明】
【００２３】
１１    釣針
２１    チモト部材
２２    胴部
２３    突出部
２４    装着孔
２４ａ  下部孔
２４ｂ  上部孔
２４ｃ  段差部
２５ａ  取付孔
２５ｂ  取付孔
２５ｃ  取付孔
２６ａ  交差連通口
２６ｂ  交差連通口
２６ｃ  交差連通口
２７    屈曲部
３１    棒状部材
３２    下吊部
３３    吊孔
３４    テーパ部
３５    細径部
３６    雄ネジ部
３７    上吊具
３８    リング部
３９    雌ネジ部３９
４１ａ  針部材
４１ｂ  針部材
４１ｃ  針部材
４２    軸部
４３    湾曲部
４３ａ  腰曲げ箇所
４３ｂ  先曲げ箇所
４４    針先部
４５    針先部の最先端
５１    釣具
６１    上部釣糸
６２    錘体
【図１】
2008029277.tif 000003
【図２】
2008029277.tif 000004
【図３】
2008029277.tif 000005